(57)【特許請求の範囲】
【請求項１】
表示部と、
前記表示部上に設けられるタッチパネルと、
ハードウェアキーと、
前記ハードウェアキーを照明する発光部を備え、
前記タッチパネルからの入力が前記表示部に表示された所定の文字入力領域への文字入力の指示である場合に、前記発光部の発光を開始し、
前記タッチパネルからの入力が前記所定の文字入力領域への文字入力の指示で無い場合には、前記発光部の発光を開始しない、携帯端末。
【請求項２】
前記表示部を設けた第１筐体と、
前記ハードウェアキーを設けた第２筐体をさらに備え、
前記第１筐体と前記第２筐体とは、当該第１筐体が当該第２筐体に設けられる前記ハードウェアキーを覆う閉状態と、前記第２筐体のハードウェアキーを露出する開状態とに開閉可能に設けられる、請求項１記載の携帯端末。
【請求項３】
前記発光部は、
前記第１筐体が前記第２筐体に設けられるハードウェアキーを覆う閉状態となったときに、発光を停止し、
前記第１筐体が前記第２筐体に設けられるハードウェアキーを露出する開状態であり、かつ、前記表示部に表示された所定の文字入力領域への文字入力が指示されたときに、発光を開始する、請求項２記載の携帯端末。
【請求項４】
前記所定の文字入力領域は、検索する語の入力領域である、請求項１ないし３のいずれかに記載の携帯端末。
【請求項５】
前記発光部は、前記第１筐体が前記第２筐体に設けられるハードウェアキーを露出する開状態であり、かつ、前記タッチパネルからの入力が前記所定の文字入力領域への文字入力の指示である場合に、発光を開始する、請求項１ないし４のいずれかに記載の携帯端末。
【請求項６】
前記ハードウェアキーは、ＱＷＥＲＴＹ配列されたキーである、請求項１ないし５のいずれかに記載の携帯端末。
【請求項７】
表示部と、
前記表示部上に設けられるタッチパネルと、
ハードウェアキーと、
前記ハードウェアキーを照明する発光部を備え、
前記タッチパネルへの入力によって、前記表示部に表示された所定の文字入力領域がタッチされたとき、前記発光部の発光を開始し、
前記タッチパネルへの入力が無いとき、および前記タッチパネルへの入力によって、前記所定の文字入力領域がタッチされていないとき、前記発光部の発光を開始しない、携帯端末。
【請求項８】
表示部と、前記表示部上に設けられるタッチパネルと、ハードウェアキーと、前記ハードウェアキーを照明する発光部を備える、携帯端末の制御方法であって、
前記タッチパネルからの入力が前記表示部に表示された所定の文字入力領域への文字入力の指示である場合に、前記発光部の発光を開始し、
前記タッチパネルからの入力が前記所定の文字入力領域への文字入力の指示で無い場合には、前記発光部の発光を開始しない、携帯端末の制御方法。
【請求項９】
表示部と、前記表示部上に設けられるタッチパネルと、ハードウェアキーと、前記ハードウェアキーを照明する発光部を備える、携帯端末の制御方法であって、
前記タッチパネルへの入力によって、前記表示部に表示された所定の文字入力領域がタッチされたとき、前記発光部の発光を開始し、
前記タッチパネルへの入力が無いとき、および前記タッチパネルへの入力によって、前記所定の文字入力領域がタッチされていないとき、前記発光部の発光を開始しない、携帯端末の制御方法。
【発明の詳細な説明】
【技術分野】
【０００１】
この発明は携帯端末およびその制御方法に関し、特にたとえば、ハードウェアキーを備える、携帯端末およびその制御方法に関する。
【背景技術】
【０００２】
この種の携帯端末の一例が特許文献１に開示されている。この特許文献１の携帯電話では、情報受信時やカラオケ機能の実行中においては、キー操作部への操作は必要ないため、情報受信の開始やカラオケ機能の開始から一定期間までは、液晶パネルおよびキー操作部は、照明されるものの、一定期間以降では、液晶パネルの照明は維持される一方で、キー操作部の照明は停止される。また、特許文献１の携帯電話では、電子メールの送信操作時において、「文字・数字入力モード」が実行されていないとき、テンキー（文字・数字入力キー）の照明が停止される。このようにして、特許文献１の携帯電話では、照明による消費電力を低減してある。
【０００３】
また、この種の携帯端末の他の例が特許文献２に開示されている。この特許文献２の携帯端末装置は、筐体のスライド部が開き始めたことを検出したときに、液晶およびキーバックライトを点灯させ、遅くともスライド部が開ききったことを検出すると、表示部で待受画面を表示される。これによって、ユーザがスライド部を開いてから操作するまでの待ち時間を軽減してある。
【０００４】
また、キー押下を検出したとき、時間計測部が計測する一定時間についてはバックライト部を消灯するキーバックライト制御を行い、キー操作中の消費電流を低減する他の例が特許文献３に開示されている。
【特許文献１】特開２００６−２６２５３３[H04M 1/73, H04M 1/00]
【特許文献２】特開２００９−１８８６１９[H04M 1/00, H04M 1/725, G06F 3/02]
【特許文献３】国際公開第２００８/０３８３８１号 [G06F 3/02,G06F 1/28,H04M 1/73,H04M 1/02, H04M 1/22]
【発明の概要】
【発明が解決しようとする課題】
【０００５】
しかし、特許文献１では、液晶パネルおよびキー操作部の照明が停止された後に、タッチセンサーへのタッチ操作、若しくは、キー操作部への操作がなされると、キー操作部および液晶パネルの双方の照明が開始される。このため、タッチ操作に応じて、キー操作部の照明が開始されると、その後に、キー操作部への操作を行わない場合には、そのキー操作部の照明による電力消費が無駄になってしまう。
【０００６】
また、特許文献２では、携帯端末装置の筐体のスライド部を開き始めたときにキーバックライトを点灯されるため、点灯開始からキー操作を行うまでの間の電力消費が無駄になってしまう。また、携帯端末装置の筐体のスライド部を開いた後に、キー操作を行わない場合にも、同様に、キーバックライトの点灯による消費電力が無駄になってしまう。
【０００７】
さらに、特許文献３では、キー操作中の消費電流を低減することができるが、この特許文献３の技術を採用したとしても、特許文献１や特許文献２の問題を解決することはできない。
【０００８】
それゆえに、この発明の主たる目的は、新規な、携帯端末およびその制御方法を提供することである。
【０００９】
また、この発明の他の目的は、出来る限り電池を長持ちさせることができる、携帯端末およびその制御方法を提供することである。
【課題を解決するための手段】
【００１０】
本発明は、上記の課題を解決するために、以下の構成を採用した。なお、括弧内の参照符号および補足説明等は、本発明の理解を助けるために後述する実施の形態との対応関係を示したものであって、本発明を何ら限定するものではない。
【００１１】
第１の発明は、表示部と、表示部上に設けられるタッチパネルと、ハードウェアキーと、ハードウェアキーを照明する発光部を備え、タッチパネルからの入力が表示部に表示された所定の文字入力領域への文字入力の指示である場合に、前記発光部の発光を開始し、タッチパネルからの入力が所定の文字入力領域への文字入力の指示で無い場合には、発光部の発光を開始しない、携帯端末である。
【００１２】
第１の発明では、携帯端末（１０）は、表示部（３０）、表示部上に設けられるタッチパネル（３８）、ハードウェアキー（２６ｂ）、発光部（４４）を備える。発光部は、ハードウェアキーを照明する。ただし、携帯端末は、タッチパネルからの入力が表示部に表示された所定の文字入力領域への文字入力の指示である場合に（Ｓ３で“ＹＥＳ”）、発光部の発光を開始するが、タッチパネルからの入力が所定の文字入力領域への文字入力の指示で無い場合には（Ｓ３で“ＮＯ”）、発光部の発光を開始しない。
【００１３】
第１の発明によれば、文字入力が指示されたときに発光部の発光を開始するので、文字を入力しない場合に、発光部が発光されることが無く、無駄な電力消費を抑えることができる。したがって、出来る限り電池を長持ちさせることができる。
【００１４】
第２の発明は、第１の発明に従属し、表示部を設けた第１筐体と、ハードウェアキーを設けた第２筐体をさらに備え、第１筐体と第２筐体とは、当該第１筐体が当該第２筐体に設けられるハードウェアキーを覆う閉状態と、第２筐体のハードウェアキーを露出する開状態とに開閉可能に設けられる。
【００１５】
第２の発明では、携帯端末は、第１筐体（５０）と第２筐体（５２）とをさらに備える。第１筐体には、表示部が設けられ、第２筐体には、ハードウェアキーが設けられる。第１筐体と第２筐体とは開閉可能に設けられ、閉状態では、第１筐体が第２筐体に設けられたハードウェアキーを覆い、開状態では、第２筐体に設けられたハードウェアキーは露出される。
【００１６】
第２の発明によれば、第１筐体と第２筐体とを開閉可能に設けるので、携帯端末を小型化することができる。
【００１７】
第３の発明は、第２の発明に従属し、発光部は、第１筐体が第２筐体に設けられるハードウェアキーを覆う閉状態となったときに、発光を停止し、第１筐体が第２筐体に設けられるハードウェアキーを露出する開状態であり、かつ、表示部に表示された所定の文字入力領域への文字入力が指示されたときに、発光を開始する。
【００１８】
第３の発明では、発光部は、第１筐体が第２筐体に設けられるハードウェアキーを覆う閉状態となったときに（Ｓ１９で“ＮＯ”）、発光を停止する。ただし、発光部は、開状態が解除されたときに、発光を停止してもよい。また、発光部は、第１筐体が第２筐体に設けられるハードウェアキーを露出する開状態であり、かつ、表示部に表示された所定の文字入力領域への文字入力が指示されたときに、発光を開始する。したがって、所定の文字入力領域への文字入力が指示された場合であっても、閉状態では、発光部は発光されない。
【００１９】
第３の発明によれば、所定の文字入力領域への文字入力が指示されるのみならず、開状態でハードウェアキーが使用可能な場合に、発光部を発光させるので、必要なときだけ発光部を発光させることができる。したがって、無駄な電力消費を抑えることができる。
【００２０】
第４の発明は、第１ないし第３の発明のいずれかに従属し、所定の文字入力領域は、検索する語の入力領域である。
【００２１】
第４の発明では、所定の文字入力領域（２５４、３５４、４５４）は、検索語の入力領域（２５４）である。つまり、所定の文字入力領域は、ハードウェアキーを用いて文字を入力する領域である。
【００２２】
第４の発明によれば、ハードウェアキーを使用する場合にのみ、発光部を点灯させることができる。
【００２３】
第５の発明は、第１ないし第４の発明のいずれかに従属し、発光部は、第１筐体が第２筐体に設けられるハードウェアキーを露出する開状態であり、かつ、タッチパネルからの入力が所定の文字入力領域への文字入力が指示されたとき、発光を開始する。
【００２４】
第５の発明では、発光部は、第１筐体が第２筐体に設けられるハードウェアキーを露出する開状態であり、かつ、タッチパネルからの入力が所定の文字入力領域への文字入力が指示されたとき、発光を開始する。つまり、使用者がタッチすることにより、所定の文字入力領域への文字入力が指示される。
【００２５】
第５の発明によれば、タッチによって所定の文字入力領域への文字入力が指示されるので、操作が簡単である。
【００２６】
第６の発明は、第１ないし第５の発明に従属し、ハードウェアキーは、ＱＷＥＲＴＹ配列されたキーである。
【００２７】
第６の発明では、ハードウェアキーは、ＱＷＥＲＴＹ配列されたキー、すなわちＱＷＥＲＴＹキーボードである。
【００２８】
第６の発明では、ＱＷＥＲＴＹキーボードを設けるので、コンピュータと同様の操作で文字を入力することができ、操作性を向上することができる。
【００２９】
第７の発明は、表示部と、表示部上に設けられるタッチパネルと、ハードウェアキーと、ハードウェアキーを照明する発光部を備え、タッチパネルへの入力によって、表示部に表示された所定の文字入力領域がタッチされたとき、発光部の発光を開始し、タッチパネルへの入力が無いとき、およびタッチパネルへの入力によって、所定の文字入力領域がタッチされていないとき、発光部の発光を開始しない、携帯端末である。
【００３０】
第８の発明は、表示部と、表示部上に設けられるタッチパネルと、ハードウェアキーと、ハードウェアキーを照明する発光部を備える、携帯端末の制御方法であって、タッチパネルからの入力が前記表示部に表示された所定の文字入力領域への文字入力の指示である場合に、前記発光部の発光を開始し、タッチパネルからの入力が前記所定の文字入力領域への文字入力の指示で無い場合には、発光部の発光を開始しない、携帯端末の制御方法である。
【００３１】
第９の発明は、表示部と、表示部上に設けられるタッチパネルと、ハードウェアキーと、ハードウェアキーを照明する発光部を備える、携帯端末の制御方法であって、タッチパネルへの入力によって、表示部に表示された所定の文字入力領域がタッチされたとき、発光部の発光を開始し、タッチパネルへの入力が無いとき、およびタッチパネルへの入力によって、所定の文字入力領域がタッチされていないとき、発光部の発光を開始しない、携帯端末の制御方法である。
【００３２】
第７−第９の発明においても、第１の発明と同様に、出来る限り電池を長持ちさせることができる。
【発明の効果】
【００３３】
この発明によれば、所定の文字入力領域への文字入力が指示されたときに、ハードウェアキーの照明を開始するので、文字入力が指示される前にハードウェアキーが照明されることが無く、無駄な消費電力を抑えることができる。したがって、出来る限り電池を長持ちさせることができる。
【００３４】
この発明の上述の目的，その他の目的，特徴および利点は、図面を参照して行う以下の実施例の詳細な説明から一層明らかとなろう。
【図面の簡単な説明】
【００３５】
【図１】図１はこの発明の一実施例の携帯電話機の電気的な構成を示すブロック図である。
【図２】図２は図１に示す携帯電話機の外観を示す図である。
【図３】図３は図１に示す第１筐体が第２筐体の短手方向にスライドされる場合の磁気センサと磁石との位置関係を説明するための図である。
【図４】図４は図１に示すディスプレイに表示されるメインメニュー画面およびウェブ画面の例を示す図である。
【図５】図５は図１に示すディスプレイに表示されるウェブ画面および検索語入力画面の例を示す図である。
【図６】図６は図１に示すディスプレイに表示されるメール新規作成画面およびメール本文作成画面の例を示す図である。
【図７】図７は図１に示すディスプレイに表示されるアドレス帳新規登録画面および名前入力画面の例を示す図である。
【図８】図８は図１に示すＲＡＭのメモリマップの例を示す図である。
【図９】図９は図１に示すプロセッサのバックライト点灯制御処理の一部を示すフロー図である。
【図１０】図１０は図１に示すプロセッサのバックライト点灯制御処理の他の一部であって、図９に後続するフロー図である。
【発明を実施するための形態】
【００３６】
図１を参照して、この実施例の携帯電話機１０は携帯端末の一種であり、ＣＰＵまたはコンピュータと呼ばれるプロセッサ２４を含む。このプロセッサ２４には、無線通信回路１４、Ａ／Ｄ変換器１６、Ｄ／Ａ変換器２０、キー入力装置２６、表示ドライバ２８、フラッシュメモリ３２、ＲＡＭ３４、タッチパネル制御回路３６、磁気センサ４０、バックライト４４および電源回路４６が接続される。また、無線通信回路１４にはアンテナ１２が接続され、Ａ／Ｄ変換器１６にはマイク１８が接続され、Ｄ／Ａ変換器２０にはアンプ（図示せず）を介して、スピーカ２２が接続される。表示ドライバ２８にはディスプレイ３０が接続される。タッチパネル制御回路３６にはタッチパネル３８が接続される。そして、電源回路４６には二次電池４８が接続される。
【００３７】
プロセッサ２４は、携帯電話機１０の全体制御を司る。ＲＡＭ３４は、プロセッサ２４の作業領域（描画領域を含む）ないしバッファ領域として用いられる。フラッシュメモリ３２には、携帯電話機１０の文字、画像、音声、音および映像のようなコンテンツのデータなどが記録される。
【００３８】
Ａ／Ｄ変換器１６は、当該Ａ／Ｄ変換器１６に接続されたマイク１８を通して入力される音声ないし音についてのアナログ音声信号を、デジタル音声信号に変換する。Ｄ／Ａ変換器２０は、デジタル音声信号をアナログ音声信号に変換（復号）して、アンプを介してスピーカ２２に与える。したがって、アナログ音声信号に対応する音声ないし音がスピーカ２２から出力される。
【００３９】
キー入力装置２６は、複数のハードウェアキーを備え、具体的には、通話キーおよび終話キーなどを備えるとともに、アルファベットキー、スペースキーおよびエンターキーなども備える。そして、使用者が操作したキーの情報（キーデータ）がプロセッサ２４に入力される。
【００４０】
なお、キー入力装置２６に含まれる各キーが操作されると、フィードバック処理が実行され、スピーカ２２ａとは異なる他のスピーカ（図示せず）からフィードバック音が出力される。使用者は、フィードバック音を聞くことで、キー入力操作に対する操作感を得ることができる。また、キー入力装置２６に含まれる各キーが操作された場合に、フィードバック音に代えてバイブレータの振動がなされても良いし、フィードバック音と共にバイブレータの振動がなされても良い。この場合、使用者は、バイブレータの振動により、キー入力操作に対する操作感を得ることができる。
【００４１】
表示ドライバ２８は、プロセッサ２４の指示の下、当該表示ドライバ２８に接続されたディスプレイ３０の表示を制御する。なお、表示ドライバ２８は表示する画像データを一時的に記憶するビデオメモリ（図示せず）を含む。
【００４２】
タッチパネル３８は、ディスプレイ３０の画面内で、任意の位置を指示するためのポインティングデバイスである。この実施例のタッチパネル３８は、指などの物体が表面に接近して生じた電極間の静電容量の変化を検出する静電容量方式のタッチパネルであって、たとえば１本または複数本の指がタッチパネル３８に触れたことを検出可能である。また、タッチパネル３８は、その表面（上面）を指で、押したり、撫でたり、触れたりすることにより操作されると、その操作を検出する。具体的には、タッチ検出部として機能するタッチパネル制御回路３６は、タッチパネル３８に指が触れると、その指の位置を特定し、操作された位置（タッチ位置）を示す座標のデータ（座標データ）をプロセッサ２４に出力する。つまり、使用者は、タッチパネル３８の上面を指で、押したり、撫でたり、触れたりすることによって、操作の位置、操作の方向や図形などを携帯電話機１０に入力することができる。以下、この実施例においては、使用者がタッチパネル３８の上面を指で触れる操作を「タッチ」と言うことがある。また、タッチパネル３８に対して行う操作を、「タッチ操作」と言うことがある。
【００４３】
なお、タッチ操作は指だけに限らず、導電体が先端に取り付けられたタッチペンなど、その他の物体によって行われてもよい。また、タッチパネル３８の検出方式には、表面型の静電容量方式が採用されてもよいし、抵抗膜方式、超音波方式、赤外線方式および電磁誘導方式などであってもよい。
【００４４】
磁気センサ４０は、磁石４２が発する磁気を検知し、磁気の値についてのデータ（磁気データ）をプロセッサ２４に出力する。そして、プロセッサ２４は、磁気センサ４０からの磁気データに対応する磁気の値に応じて、携帯電話機１０が開状態（図２参照）であるかどうかを検知する。電源回路４６は、プロセッサ２４の指示に従って、二次電池４８からの電力を各回路コンポーネントに供給および停止を制御する。
【００４５】
無線通信回路１４は、ＣＤＭＡ方式での無線通信を行うための回路である。たとえば、使用者がキー入力装置２６を用いて音声発信を指示すると、無線通信回路１４は、プロセッサ２４の指示の下、音声発信処理を実行し、アンテナ１２を介して音声発信信号を出力する。音声発信信号は、基地局および通信網（図示せず）を経て相手の電話機に送信される。そして、相手の電話機において着信処理が行われると、接続状態（通信可能状態）が確立され、プロセッサ２４は通話処理を実行する。
【００４６】
通常の通話処理について具体的に説明すると、相手の電話機から送られてきた変調音声信号（高周波信号）はアンテナ１２によって受信される。受信された変調音声信号には、無線通信回路１４によって復調処理および復号処理が施される。そして、これらの処理によって得られた受話音声信号は、Ｄ／Ａ変換器２０によってアナログ音声信号に変換された後、スピーカ２２から出力される。一方、マイク１８を通して取り込まれた送話音声信号は、Ａ／Ｄ変換器１６によってデジタル音声信号に変換された後、プロセッサ２４に与えられる。デジタル音声信号に変換された送話信号には、プロセッサ２４の指示の下、無線通信回路１４によって符号化処理および変調処理が施され、アンテナ１２を介して出力される。したがって、変調音声信号は、基地局および通信網を介して相手の電話機に送信される。
【００４７】
また、相手の電話機からの発信信号がアンテナ１２によって受信されると、無線通信回路１４は、着呼（音声着信ともいう）をプロセッサ２４に通知する。これに応じて、プロセッサ２４は、表示ドライバ２８を制御して、着信通知に記述された発信元情報（電話番号）をディスプレイ３０に表示する。また、これとほぼ同時に、プロセッサ２４は、上述の他のスピーカから着信音（着信メロディ、着信音声と言うこともある。）を出力させる。さらに、プロセッサ２４は、図示しないモータを駆動（回転）させることで携帯電話機１０を振動させることもある。ただし、着信音の出力に代えて、携帯電話機１０を振動させてもよい。
【００４８】
着信に応じて、使用者が、通話キーを用いて応答操作を行うと、無線通信回路１４は、プロセッサ２４の指示の下、音声着信処理を実行し、接続状態（通信可能状態）が確立され、プロセッサ２４は上述した通常の通話処理を実行する。
【００４９】
通話可能状態に移行した後に、終話キーによって通話終了操作が行われると、プロセッサ２４は、無線通信回路１４を制御して、通話相手に通話終了信号を送信する。そして、通話終了信号の送信後、プロセッサ２４は、通話処理を終了する。また、先に通話相手から通話終了信号を受信した場合も、プロセッサ２４は、通話処理を終了する。さらに、通話相手によらず、移動通信網から通話終了信号を受信した場合も、プロセッサ２４は通話処理を終了する。
【００５０】
なお、図示は省略するが、携帯電話機１０は、ネットワークに接続されるサーバとのデータ通信を確立することで、メール機能やブラウザ機能を実行することができる。さらに、フラッシュメモリ３２に記憶されているアドレス帳データを管理するアドレス帳機能も実行することができる。
【００５１】
図２（Ａ）は、スライド型の携帯電話機１０の閉状態の外観を示す図であり、図２（Ｂ）は、スライド型の携帯電話機１０の開状態の外観を示す図である。図２（Ｂ）から分かるように、携帯電話機１０は、各々が平面矩形の第１筐体５０および第２筐体５２を有する。また、第１筐体５０および第２筐体５２の厚みは略同じである（図３（Ｂ）参照）。
【００５２】
第１筐体５０は第２筐体５２の上に重ねられた状態で、図示しないスライド機構によって連結される。この実施例では、図２（Ｂ）に示すように、第１筐体５０は第２筐体５２の短手方向にスライド可能である。なお、第１筐体５０および第２筐体５２にそれぞれ内蔵される基板は、フレキシブル・プリント配線基板によって電気的に接続されている。
【００５３】
図２（Ａ）および図２（Ｂ）から分かるように、ディスプレイ３０は、そのモニタ画面が第１筐体５０の上面に露出するように設けられる。また、ディスプレイ３０の上面には、タッチパネル３８が設けられる。図２（Ａ）および図２（Ｂ）では、タッチパネル３８を点線枠でディスプレイ３０よりも小さく表示してあるが、実際には、ディスプレイ３０の表示領域と、タッチパネル３８の検出領域とは、同じまたはほぼ同じ大きさである。
【００５４】
また、上述したスピーカ２２は第１筐体５０に内蔵され、内蔵されたスピーカ２２に通じる開口５０ａが、第１筐体５０の長手方向の一方端であり、その上面に設けられる。図２（Ａ）および図２（Ｂ）に示す例では、開口５０ａはディスプレイ３０の上側に設けられる。また、上述したマイク１８は第１筐体５０に内蔵され、内蔵されたマイク１８に通じる開口５０ｂは第１筐体５０の長手方向の他方端であり、その上面と側面（上端面）との間に設けられた傾斜面（テーパー面）に設けられる。
【００５５】
また、図２（Ａ）および（Ｂ）に示すように、キー入力装置２６は、それぞれ複数のハードウェアキーによって構成される、第１キー群２６ａと第２キー群２６ｂとを含む。第１キー群２６ａは、方向キー、通話キー、終話キー、メニューおよび確定キーから構成されており、第１筐体５０の上面であり、ディスプレイ３０を挟んで開口５０ａの反対側に設けられる。また、第２キー群２６ｂは、ＱＷＥＲＴＹ配列された、アルファベットキー、スペースキー、エンターキーなどから構成されており、第２筐体５２の上面に設けられる。また、図２（Ｂ）に示すように、第２キー群２６ｂは、キー配列の都合上、携帯電話機１０を横持ちにした場合に、つまり、左回り（反時計回り）に９０度回転させた場合に、各キーが使用者に対して正しい方向となるように設けられる。
【００５６】
また、図面では分からないが、第２筐体５２の内部であり、第２キー群２６ｂの下面には、各キーを個別に照明するためのバックライト４４が設けられる。図示は省略するが、バックライト４４は、各キーに対応して、それぞれの下面に設けられる複数のＬＥＤで構成される。
【００５７】
なお、キー配列は、ＱＷＥＲＴＹ配列に限定される必要は無く、他の配列が採用されてもよい。
【００５８】
たとえば、使用者は、図示は省略するが、ディスプレイ３０に表示された「０」−「９」キー、「＊」キーおよび「＃」キーを含むダイヤルキー（ソフトキー）を操作して電話番号を入力し、通話キーによって発呼操作を行い、終話キーによって通話終了操作を行う。また、使用者は、メニューキーを操作することでメインメニュー画面を表示し、タッチ操作によって任意のメニューを選択および決定することができる。ただし、メインメニュー画面が表示されている場合には、方向キーを操作することにより、任意のメニューを選択し、さらに、確定キーを操作することによって、選択したメニューを決定することもできる。そして、使用者は、終話キーを長押しすることで携帯電話機１０の電源をオン／オフする。
【００５９】
磁気センサ４０は、磁石４２から発せられる磁気を検出し、その数値についてのデータをプロセッサ２４に出力する。これによって、プロセッサ２４は、少なくとも、図２（Ｂ）に示した開状態であるかどうかを判断する。図３（Ａ）−図３（Ｃ）に示すように、磁気センサ４０は、第２筐体５２の内部であり、その左上部に設けられる。また、磁石４２は、第１筐体５０の内部であり、その上部の中央からやや右寄りに設けられる。ただし、図３（Ｂ）は、図３（Ａ）に示す携帯電話機１０を左側面から見た図である。
【００６０】
図３（Ａ）に示すように、携帯電話機１０が閉状態である場合には、磁気センサ４０と磁石４２とは最も離れており、磁気センサ４０からプロセッサ２４に出力される磁気に対応する数値データは最小値を示す。一方、図３（Ｃ）に示すように、携帯電話機１０が開状態である場合には、磁気センサ４０と磁石４２とは重なる位置に配置され、最も接近する。このとき、磁気センサ４０からプロセッサ２４に出力される磁気に対応する数値データは最大値を示す。
【００６１】
この実施例では、携帯電話機１０が開状態である場合にのみ、バックライト４４を点灯するようにしてあるため、磁気センサ４０で検出される磁石４２の磁気の最大値についての数値データ（最大値データ）が予め記憶され、この最大値データが検出されたときに、プロセッサ２４は、携帯電話機１０が開状態であると判断する。これは、携帯電話機１０の開状態と閉状態との間の状態、すなわち第１筐体５０をスライドさせている状態を開状態と判断しないようにするためである。このようにするのは、出来る限りバックライト４４が点灯される時間を短くし、消費電力を抑えるためである。
【００６２】
なお、磁気センサ４０で検出される磁石４２の磁気の最小値についての数値データ（最小値データ）も予め記憶され、この最小値データが検出されたときに、プロセッサ２４は、携帯電話機１０が閉状態であると判断する。
【００６３】
また、図１に示した、アンテナ１２、無線通信回路１４、プロセッサ２４、表示ドライバ２８、フラッシュメモリ３２、ＲＡＭ３４、タッチパネル制御回路３６、電源回路４６および二次電池４８は、第１筐体５０または第２筐体５２に内蔵されており、図２（Ａ）、図２（Ｂ）、および図３（Ａ）−図３（Ｃ）では省略してある。
【００６４】
このような携帯電話機１０では、たとえば、主電源がオンされたとき、または、スリープ（スタンバイ）状態から起動（復帰）したときには、ディスプレイ３０には、図４（Ａ）に示すようなメインメニュー画面１００が表示される。ただし、図４（Ａ）（図４（Ｂ）も同じ）に示すメインメニュー画面１００が表示されている場合には、携帯電話機１０は閉状態である。
【００６５】
なお、携帯電話機１０が閉状態では、ディスプレイ３０は縦表示であり、携帯電話機１０が開状態になると、ディスプレイ３０が横表示に変化される。以下、同様である。
【００６６】
図４（Ａ）に示すように、メインメニュー画面１００には、複数のアイコン１０２、１０４、１０６、１０８、１１０、１１２、…が表示される。アイコン１０２−１１２の各々には、所定の機能が割り当てられている。図４（Ａ）に示す例では、アイコン１０２には、ブラウザ機能が割り当てられ、アイコン１０４には、メール機能が割り当てられる。また、アイコン１０６には、アドレス帳機能が割り当てられ、アイコン１０８には、メモ帳機能が割り当てられる。さらに、アイコン１１０には、スケジュール機能が割り当てられ、アイコン１１２には、電話機能が割り当てられる。
【００６７】
なお、図示は省略するが、たとえば、電卓機能やオプション機能などの他の機能が割り当てられたアイコンも選択可能に表示される。
【００６８】
たとえば、アイコン１０２がタッチされ、ブラウザ機能が実行されると、図４（Ｂ）に示すようなウェブ画面２００がディスプレイ３０に表示される場合がある。図４（Ｂ）に示すウェブ画面２００には、検索語を入力することを選択するとともに、入力された検索語を表示するための表示領域２０２および検索を実行するためのボタン画像２０４が表示される（設けられる）。また、表示領域２０２の下方には、「ニュース」、「天気」、「占い」などの他のウェブページに移行するためのハイパーリンクが設定された文字列が表示される。
【００６９】
なお、アイコン１０２−１１２の各々の表示領域に対応するタッチパネル３８の操作有効領域（座標の範囲）は予め決定されており、プロセサ２４は、タッチパネル制御回路３６から入力される座標データに応じて、タッチされたアイコン１０２−１１２を特定することができる。以下、この実施例において、表示領域、入力領域、ボタン画像をタッチする場合についても同様である。
【００７０】
この実施例の携帯電話機１０では、検索語を入力する場合には、使用者は、表示領域２０２をタッチして、所定の入力領域（ここでは、後述する入力領域２５４）に検索語を入力するモード（文字入力モード）に切り替える。また、文字を入力する必要があるため、携帯電話機１０を開いて、第２キー群２６ｂを使用可能にする。
【００７１】
通常、このような携帯電話機１０では、携帯電話機１０を開くとき、つまり第１筐体５０のスライドを開始したとき、または、携帯電話機１０が開状態になったときに、バックライト４４が点灯され、第２キー群２６ｂの各キーが照明される。
【００７２】
しかし、携帯電話機１０を開状態にしたとしても、必ずしも文字が入力されるとは限らず、また、実際に文字の入力が開始されるまでは、第２キー群２６ｂの各キーを照明する必要がない。つまり、上記のような場合に、バックライト４４を点灯すると、電力を無駄に消費してしまうことになる。このため、二次電池４８の持ちが悪くなってしまう。
【００７３】
そこで、この実施例では、バックライト４４を適切に点灯させることにより、バックライト４４の点灯による消費電力を抑えて、出来る限り二次電池４８を長持ちさせるようにしてある。
【００７４】
簡単に説明すると、携帯電話機１０が開状態となっており、所定の入力領域に文字を入力することが指示されたときに、バックライト４４が点灯される。また、文字入力モードが終了されたり、携帯電話機１０が閉じられたりするときに、バックライト４４が消灯される。また、文字入力モードにおいて、所定時間（この実施例では、１０秒）以上、何らキー（この実施例では、第２キー群２６ｂに含まれるキーを意味する。以下、同じ。）が操作されないときにも、バックライト４４は消灯される。かかる場合には、使用者が入力する内容を検討している状態であると判断し、バックライト４４を消灯して、無駄な消費電力を抑えるのである。ただし、上記の所定時間は、使用者によって変更することが可能である。以下、文字を入力する場合について同じ。また、文字入力モードが終了されたり、携帯電話機１０が閉じられたりしていない場合には、再度キーが入力されたときに、バックライト４４は点灯される。ただし、携帯電話機１０が閉じられるときとは、携帯電話機１０の開状態において、第１筐体５０が第筐体５２に設けられた第２キー群２６ｂを覆うようにスライドが開始されるときを意味する。また、この実施例では、携帯電話機１０が閉じられるときに、バックライト４４を消灯するようにしてあるが、閉状態になったときに、バックライト４４を消灯するようにしてもよい。
【００７５】
たとえば、携帯電話機１０が開状態にされると、図５（Ａ）に示すように、ウェブ画面２００は横表示にされる。これは、文字を入力する場合には、携帯電話機１０は、図２（Ｂ）および図３（Ｃ）に示した状態から左回り（反時計回り）に９０度回転され、横持ちにされるためである。ただし、携帯電話機１０が開状態にされただけでは、未だ文字を入力することが指示されていないため、バックライト４４は点灯されない。
【００７６】
図５（Ａ）に示すウェブ画面２００において、「ニュース」、「天気」、「占い」などの文字がタッチされた場合には、ハイパーリングが設定された別のウェブページが表示される。この場合にも、文字を入力することが指示されていないため、バックライト４４は点灯されない。一方、図５（Ａ）に示すウェブ画面２００において、表示領域２０２がタッチされると、所定の入力領域２５４に文字を入力することが指示され、バックライト４４が点灯される。つまり、文字入力モードに移行される。また、このとき、図５（Ｂ）に示すような検索語入力画面２５０がディスプレイ３０に表示される。
【００７７】
図５（Ｂ）に示す検索語入力画面２５０には、表示領域２５２、入力領域２５４および表示領域２５６が設けられる。表示領域２５２には、入力領域２５４が検索する語（検索語）を入力するための領域である旨が表示される。入力領域２５４には、使用者のキー操作に従って文字等が入力（表示）される。このとき、バックライト４４が点灯されているため、各キーで入力可能な文字等を容易に知ることができる。以下、文字入力モードが設定されている場合において、同じように、バックライト４４が点灯する。ただし、検索語入力画面２５０が表示されている場合に、キー入力の無い状態が所定時間を経過すると、バックライト４４は消灯される。
【００７８】
また、表示領域２５６には、ボタン画像２６０およびボタン画像２６２が表示される。ボタン画像２６０は、検索語の入力を終了し、図５（Ａ）に示したウェブ画面２００に戻るために設けられる。図示は省略するが、検索語が入力された後に、ボタン画像２６０がタッチされると、入力領域２５４で入力された文字等が表示領域２０２に表示されたウェブ画面２００がディスプレイ３０に表示される。このとき、文字入力モードが終了されるため、バックライト４４は消灯される。続いて、ボタン画像２０４がタッチされると、入力領域２０２に表示（入力）された文字等（検索語）に関するウェブページが検索される。
【００７９】
ボタン画像２６２は、検索語の入力をキャンセルするために設けられる。ボタン画像２６２がタッチされると、検索語の入力を中止して、図５（Ａ）に示したウェブ画面２００に戻る。このとき、入力領域２５４に入力された文字等は消去される。したがって、ウェブ画面２００の表示領域２０２は空欄である。また、ウェブ画面２００に戻る場合には、文字入力モードが終了されるため、バックライト４４は消灯される。
【００８０】
上述したように、ここでは、携帯電話機１０を開状態にした後に、入力領域２０２がタッチされたときに、バックライト４４を点灯させるようにしてあるが、その順番は逆であってもよい。つまり、入力領域２０２がタッチされ、文字入力モードに移行された後に、携帯電話機１０が開状態にされたときに、バックライト４４を点灯させるようにしてもよい。
【００８１】
また、詳細な説明は省略するが、上述したように、検索語を入力する文字入力モードであっても、携帯電話機１０が閉じられると、厳密には、第１筐体５０が第２キー群２６ｂを覆うようにスライドを開始される際にも、バックライト４４は消灯される。
【００８２】
これらのことは、後述するメール機能やアドレス帳機能を実行する場合においても同じである。また、図示および説明は省略するが、文字を入力することがある他の機能についても同じである。
【００８３】
また、図４（Ａ）に示したメインメニュー画面１００において、アイコン１０４がタッチされ、メール機能が実行され、メール機能についてのメニュー画面（図示せず）において、電子メールの新規作成が選択されると、図６（Ａ）に示すようなメール新規作成画面３００がディスプレイ３０に表示される。
【００８４】
なお、図示は省略するが、メール機能が実行されてから、メール新規作成画面３００が表示されるまでは、文字入力領域はタッチされておらず、つまり文字入力モードに移行されていないため、携帯電話機１０が開状態であっても、バックライト４４が点灯されることはない。
【００８５】
図６（Ａ）に示すメール新規作成画面３００には、表示領域３０２、表示領域３０４、表示領域３０６、表示領域３０８および表示領域３１０が設けられる。表示領域３０２は、電子メールの宛先（名称ないしメールアドレス）を表示するための領域である。表示領域３０４は、件名を表示するための領域である。表示領域３０６は、添付ファイルのファイル名を表示するための領域である。表示領域３０８は、本文を表示するための領域である。表示領域３１０には、ボタン画像３２０およびボタン画像３２２が表示される。ボタン画像３２０は、作成した電子メールを送信するために設けられる。また、ボタン画像３２２は、電子メールの作成を中止（キャンセル）するために設けられる。
【００８６】
たとえば、図６（Ａ）に示すメール新規作成画面３００において、表示領域３０８がタッチされると、所定の入力領域（ここでは、後述する入力領域３５４）に文字等を入力することが指示され、バックライト４４が点灯される。つまり、文字入力モードに移行される。また、このとき、図６（Ｂ）に示すような、メール本文作成画面３５０がディスプレイ３０に表示される。
【００８７】
メール本文作成画面３５０には、表示領域３５２、入力領域３５４および表示領域３５６が設けられる。表示領域３５２には、入力領域３５４が本文を入力する領域である旨が表示される。入力領域３５４は、本文（メッセージ）を入力するための領域である。したがって、第２キー群２６ｂに含まれるキーを操作することにより、所望の文字列すなわち本文（メッセージ）を入力領域３５４に入力することができる。ただし、メール本文作成画面３５０が表示されている場合に、キー入力の無い状態が所定時間を経過すると、バックライト４４は消灯される。
【００８８】
また、表示領域３５６には、ボタン画像３６０およびボタン画像３６２が表示される。ボタン画像３６０は、本文の入力を終了し、図６（Ａ）に示したメール新規作成画面３００に戻るために設けられる。図示は省略するが、本文が入力された後に、ボタン画像３６０がタッチされると、入力領域３５４で入力された文字等が表示領域３０８に表示されたメール新規作成画面３００がディスプレイ３０に表示される。このとき、文字入力モードが終了されるため、バックライト４４は消灯される。
【００８９】
ボタン画像３６２は、本文の入力をキャンセルするために設けられる。ボタン画像３６２がタッチされると、本文の入力を中止して、図６（Ａ）に示したメール新規作成画面３００に戻る。このとき、入力領域３５４に入力された文字等は消去される。したがって、メール新規作成画面３００の表示領域３０８は空欄である。また、メール新規作成画面３００に戻ると、文字入力モードが終了されるため、バックライト４４は消灯される。
【００９０】
なお、図示および詳細な説明は省略するが、メール新規作成画面３００において、表示領域３０２や表示領域３０４がタッチされた場合にも、表示領域３０８がタッチされた場合と同様に、所定の入力領域への入力が指示され、宛先や件名を入力する画面が表示される。ただし、アドレス帳から宛先を選択する場合には、宛先の文字列を入力する必要がない。このため、表示領域３０２がタッチされた後に、アドレス帳からの入力が選択された場合には、所定の入力領域への入力が指示されないため、バックライト４４は点灯されない。つまり、宛先を直接入力することが選択された場合にのみ、所定の入力領域への入力が指示され、バックライト４４が点灯されるのである。また、宛先や件名の入力が終了され、図６（Ｂ）に示したようなＯＫボタン（ボタン画像３６０）がタッチされると、メール新規作成画面３００の表示領域３０２に宛先が表示されたり、表示領域３０４に件名が表示されたりする。
【００９１】
また、表示領域３０６がタッチされた場合には、添付ファイルを所定のフォルダから選択するだけであるため、バックライト４４が点灯されることはない。また、添付ファイルが選択され、メール新規作成画面３００に戻ると、表示領域３０６に添付ファイルのファイル名が表示される。
【００９２】
また、図４（Ａ）に示したメインメニュー画面１００において、アイコン１０６がタッチされ、アドレス帳機能が実行され、新規登録が選択（指示）されると、図７（Ａ）に示すような、アドレス帳新規登録画面４００がディスプレイ３０に表示される。
【００９３】
アドレス帳新規登録画面４００には、表示領域４０２、表示領域４０４、表示領域４０６、表示領域４０８および表示領域４１０が設けられる。表示領域４０２は、名前（名称）を表示するための領域である。表示領域４０４は、電話番号を表示するための領域である。表示領域４０６は、電子メールアドレスを表示するための領域である。表示領域４０８は、住所を表示するための領域である。
【００９４】
なお、簡単のため、図示等は省略するが、誕生日、血液型、画像ファイルなどの他の情報を表示する領域も設けられる。
【００９５】
たとえば、図７（Ａ）に示すアドレス帳新規登録画面４００において、表示領域４０２がタッチされると、所定の入力領域（ここでは、後述する入力領域４５４）に文字等を入力することが指示され、バックライト４４が点灯される。つまり、文字入力モードに移行される。また、このとき、図７（Ｂ）に示すような、名前入力画面４５０がディスプレイ３０に表示される。
【００９６】
名前入力画面４５０には、表示領域４５２、入力領域４５４および表示領域４５６が設けられる。表示領域４５２には、入力領域４５４が名前を入力する領域である旨が表示される。入力領域４５４は、名前（名称）を入力するための領域である。表示領域４５６には、ボタン画像４６０およびボタン画像４６２が表示される。
【００９７】
ボタン画像４６０は、名前の入力を終了し、図７（Ａ）に示したアドレス帳新規登録画面４００に戻るために設けられる。図示は省略するが、名前が入力された後に、ボタン画像４６０がタッチされると、入力領域４５４で入力された名前が表示領域４０２に表示されたアドレス帳新規登録画面４００がディスプレイ３０に表示される。図面では表現できないが、このとき、文字入力モードが終了されるため、バックライト４４は消灯される。
【００９８】
ボタン画像４６２は、名前の入力をキャンセルするために設けられる。ボタン画像４６２がタッチされると、名前の入力を中止して、図７（Ａ）に示したアドレス帳新規登録画面４００に戻る。このとき、入力領域４５４に入力された名前は消去される。したがって、アドレス帳新規登録画面４００の表示領域４０２は空欄である。また、アドレス帳新規登録画面４００に戻ると、文字入力モードが終了されるため、バックライト４４は消灯される。
【００９９】
なお、図示および詳細な説明は省略するが、アドレス帳新規登録画面４００において、表示領域４０４、４０６、４０８がタッチされた場合にも、表示領域４０２がタッチされた場合と同様に、所定の入力領域への入力が指示され、電話番号、電子メールアドレスまたは住所を入力する画面が表示される。また、電話番号、電子メールアドレスまたは住所の入力が終了され、図７（Ｂ）に示したようなＯＫボタン（ボタン画像４６０）がタッチされると、アドレス帳新規登録画面４００の表示領域４０４に電話番号が表示されたり、表示領域４０６に電子メールアドレスが表示されたり、表示領域４０８に住所が表示されたりする。
【０１００】
図８は、図１に示したＲＡＭ３４のメモリマップ３００の例を示す。ＲＡＭ３４は、プログラム記憶領域３０２およびデータ記憶領域３０４を含む。プログラム記憶領域３０２には、携帯電話機１０の全体制御のための情報処理プログラムが記憶され、情報処理プログラムは、バックライト点灯制御プログラム３１０などによって構成される。図示は省略するが、携帯電話機１０として機能するため、着信状態を通知するプログラム、通話プログラムおよび通信プログラムなども記憶される。
【０１０１】
バックライト点灯制御プログラム３１０は、バックライト４４の点灯および消灯を制御するためのプログラムである。このバックライト点灯制御プログラム３１０は、装置開閉検知プログラム３１０ａ、文字入力モード判別プログラム３１０ｂおよびキー入力検知プログラム３１０ｃなどを含む。
【０１０２】
装置開閉検知プログラム３１０ａは、携帯電話機１０が開状態であるかどうかおよび閉状態であるかどうかを検知するためのプログラムである。具体的には、プロセッサ２４は、磁気センサ４０からの磁気データが最大値データと一致する場合に、携帯電話機１０が開状態であると判別する。また、プロセッサ２４は、磁気センサ４０からの磁気データが最小値データと一致する場合に、携帯電話機１０が閉状態であると判別する。ただし、プロセッサ２４は、磁気データが最大値データと最小値データとの間の数値を示す場合には、閉状態から開状態に変化しているまたは開状態から閉状態に変化している途中（間）の状態であると判別する。
【０１０３】
文字入力モード判別プログラム３１０ｂは、文字入力モードがどうかを判別するためのプログラムである。この実施例では、プロセッサ２４は、所定の入力領域（この実施例では、２５４、３５４、４５４）への文字の入力が指示されたとき、つまり所定の表示領域（この実施例では、２０２、３０２、３０４、３０８、４０２、４０４、４０６、４０８）がタッチされたとき、文字入力モードに移行し、所定の入力領域への文字の入力を終了（ＯＫ）したり、中止（キャンセル）したりした場合に、文字入力モードを終了する。ただし、文字入力モードに移行されてから文字入力モードを終了するまでは、文字入力モードは継続される。
【０１０４】
キー入力検知プログラム３１０ｃは、第２キー群２６ｂに含まれるキーからの入力（キー入力）があるかどうかを検知するためのプログラムである。この実施例では、プロセッサ２４は、第２キー群２６ｂに含まれるキーのキーデータが入力された場合には、キー入力があると判断し、第２キー群２６ｂに含まれるキーのキーデータが入力されていない場合には、キー入力が無いと判断する。
【０１０５】
また、データ記憶領域３０４には、操作入力データバッファ３３０およびタイマ３３２が設けられる。操作入力データバッファ３３０は、キー入力装置２６（第１キー群２６ａおよび第２キー群２６ｂ）からのキーデータおよびタッチパネル制御回路３６からの座標データを記憶（一時記憶）する。操作入力データバッファ３３０に記憶されたキーデータおよび座標データは、プロセッサ２４の処理に使用された後に、削除される。タイマ３３２は、キー入力の無い状態が継続している時間をカウントするためのタイマであり、プロセッサ２４によってリセットおよびスタートされる。
【０１０６】
なお、図示は省略するが、データ記憶領域３０４には、バックライト点灯制御プログラムを含む情報処理プログラムの実行に必要なデータが記憶されたり、他のタイマ（カウンタ）やフラグなども設けられたりする。
【０１０７】
図９および図１０は、図１に示したプロセッサ２４のバックライト点灯制御処理を示すフロー図である。なお、図示は省略するが、上述したブラウザ機能、メール機能およびアドレス帳機能の処理は、バックライト点灯制御処理を実行するタスクとは別のタスクで実行される。
【０１０８】
図９に示すように、プロセッサ２４は、バックライト点灯制御処理を開始すると、ステップＳ１で、携帯電話機１０が開状態であるかどうかを判断する。つまり、プロセッサ２４は、磁気センサ４０からの磁気データが最大値データに一致するかどうかを判断する。ステップＳ１で“ＮＯ”であれば、つまり携帯電話機１０が開状態でなければ、そのまま同じステップＳ１に戻る。一方、ステップＳ１で“ＹＥＳ”であれば、つまり携帯電話機１０が開状態であれば、ステップＳ３で、文字入力の開始指示があるかどうかを判断する。つまり、プロセッサ２４は、所定の入力領域（たとえば、２５４、３５４、４５４）への文字の入力が指示されたかどうかを判断する。
【０１０９】
ステップＳ３で“ＮＯ”であれば、つまり文字入力の開始指示がなければ、そのままステップＳ１に戻る。一方、ステップＳ３で“ＹＥＳ”であれば、つまり文字入力の開始指示であれば、ステップＳ５で、バックライト４４を点灯する。図示は省略するが、ステップＳ３で“ＹＥＳ”と判断されたときに、文字入力モードに移行される。そして、ステップＳ７で、タイマ３３２をリセットおよびスタートして、図１０に示すステップＳ９に進む。
【０１１０】
図１０に示すステップＳ９では、キー入力があるかどうかを判断する。つまり、プロセッサ２４は、操作入力データバッファ３３０に記憶される現フレームのキーデータが、第２キー群２６ｂに含まれるキーのキーデータであるかどうかを判断する。
【０１１１】
なお、フレームは、携帯電話機１０における単位時間（たとえば、１／６０秒）を意味する。また、図９および図１０に示すバックライト点灯制御処理のスキャンタイムは１フレームである。
【０１１２】
ステップＳ９で“ＹＥＳ”であれば、つまりキー入力があれば、ステップＳ１１で、タイマ３３２をリセットおよびスタートして、ステップＳ１３で、バックライト４４が点灯中であるかどうかを判断する。ステップＳ１３で“ＹＥＳ”であれば、つまりバックライト４４が点灯中であれば、そのままステップＳ９に戻る。一方、ステップＳ１３で“ＮＯ”であれば、つまりバックライト４４が消灯されている場合には、ステップＳ１５で、バックライト４４を点灯して、ステップＳ１５で、バックライト４４を点灯して、ステップＳ９に戻る。つまり、携帯電話機１０が開状態であり、文字入力モードである場合に、所定時間（たとえば、１０秒）以上キー入力を行わないで、バックライト４４が消灯された場合にも、キー入力が再開されると、バックライト４４が点灯されるのである。
【０１１３】
また、ステップＳ９で“ＮＯ”であれば、つまりキー入力が無ければ、ステップＳ１７で、文字入力を終了したかどうかを判断する。つまり、プロセッサ２４は、文字入力モードを終了したかどうかを判断する。ステップＳ１７で“ＹＥＳ”であれば、つまり文字入力を終了すると、そのままステップＳ２１に進む。一方、ステップＳ１７で“ＮＯ”であれば、つまり文字入力の終了でなければ、ステップＳ１９で、携帯電話機１０が開状態であるかどうかを判断する。
【０１１４】
ステップＳ１９で“ＮＯ”であれば、つまり携帯電話機１０が開状態でなければ、ステップＳ２１で、バックライト４４を消灯して、図９に示したステップＳ１に戻る。一方、ステップＳ１９で“ＹＥＳ”であれば、つまり携帯電話機１０が開状態であれば、ステップＳ２３で、キー入力の無い状態が所定時間を経過したかどうかを判断する。つまり、プロセッサ２４は、タイマ３３２のカウント値が所定時間を経過したかどうかを判断する。ただし、上述したように、キー入力は、第２キー群２６ｂに含まれるキーのキー入力である。
【０１１５】
ステップＳ２３で“ＮＯ”であれば、つまりキー入力の無い状態が所定時間を経過していなければ、そのままステップＳ９に戻る。一方、ステップＳ２３で“ＹＥＳ”であれば、つまりキー入力の無い状態が所定時間を経過すれば、ステップＳ１９で、バックライト４４を消灯して、ステップＳ９に戻る。
【０１１６】
この実施例によれば、携帯電話機が開状態にされ、かつ文字入力が指示された際に、ハードウェアキーのバックライトを点灯させるので、無駄な消費電力を抑えることができる。したがって、出来る限り電池を長持ちさせることができる。
【０１１７】
なお、上述の実施例では、表示領域がタッチされると、当該表示領域に表示される内容を入力するための画面がディスプレイに表示されるようにしたが、これに限定される必要はない。ウェブ画面の検索語、電子メールの電子メールアドレスおよび件名、アドレス帳の名前、電話番号および電子メールアドレスのように、入力する文字などの記号が比較的少ない場合には、入力画面を表示せずに、そのまま表示領域に入力するようにしてもよい。つまり、かかる場合の表示領域は、文字入力領域としても使用されるのである。ただし、スクロール機能を備える場合には、電子メールの本文やアドレス帳の住所のように、入力する文字などの記号が比較的多くても、入力画面を表示せずに、そのまま表示領域に入力することもできる。
【０１１８】
また、この実施例では、携帯電話機は、タッチパネルを備えているため、タッチ操作によって、所定の表示領域をタッチすることにより、所定の入力領域への文字の入力を指示するようにしたが、これに限定される必要はない。第１キー群に含まれる方向キーおよび確定キーを用いて、所定の表示領域を選択することにより、所定の入力領域への文字の入力を指示するようにしてもよい。また、ボタン画像をオンする場合についても同様に、方向キーおよび確定キーを用いてもよい。
【０１１９】
さらに、上述の実施例では、第２筐体にはＱＷＥＲＴＹ配列されたアルファベットキーなどを設けるようにしたが、これに代えて、「０」−「９」キー、「＊」キーおよび「＃」キーを含むダイヤルキーを設けてもよい。かかる場合には、第１筐体のスライド方向は、第２筐体の長手方向でもよい。
【０１２０】
さらにまた、上述の実施例では、磁気センサおよび磁石を用いて、携帯電話機（第１筐体および第２筐体）の開閉を検知するようにしたが、磁気センサおよび磁石に代えて、携帯電話機の開閉に応じてオン／オフされる機械的なスイッチを設けてもよい。
【０１２１】
また、上述の実施例では、第１キー群は、ハードウェアキーで構成したが、ソフトウェアキーで構成するようにしてもよい。かかる場合には、たとえば、第１筐体の第１キー群を設けた範囲まで覆うようにタッチパネルを設けて、第１キー群の各キーを画像で表示するようにすればよい、
さらに、この実施例では、スライド式の携帯電話機について説明したが、折り畳み式の携帯電話機にも適用することができる。たとえば、折り畳み式の携帯電話機では、ディスプレイが設けられた第１筐体と、ハードウェアキーが設けられた第２筐体とがヒンジで連結され、開状態では、ハードウェアキーは露出され、ディスプレイとハードウェアキーとが縦に並ぶように配置され、閉状態では、ディスプレイとハードウェアキーとが対面し、第１筐体によってハードウェアキーが覆われる。
【０１２２】
さらにまた、この実施例では、携帯電話機についてのみ説明したが、これに限定される必要はなく、ＰＤＡ、電子辞書または小型ＰＣなどの他の携帯端末にも適用することができる。
【０１２３】
また、上述の実施例では、通信方式として、ＣＤＭＡ方式を採用するようにしてあるが、これに限定される必要は無く、ＬＴＥ(Long Term Evolution)方式、Ｗ−ＣＤＭＡ方式、ＧＳＭ方式、ＴＤＭＡ方式、ＦＤＭＡ方式およびＰＨＳ方式などの他の方式が採用されてもよい。
【０１２４】
さらに、以上の説明で挙げた、所定時間などの具体的数値および各画面は、いずれも単なる一例であり、製品の仕様などの必要に応じて適宜変更可能である。
【符号の説明】
【０１２５】
１０  …携帯電話機
１４  …無線通信回路
１８  …マイク
２２  …スピーカ
２４  …プロセッサ
２６  …キー入力装置
３０  …ディスプレイ
３２  …フラッシュメモリ
３４  …ＲＡＭ
３８  …タッチパネル
４０  …磁気センサ
４４  …バックライト
【図１】
0005730604.tif 000002
【図２】
0005730604.tif 000003
【図３】
0005730604.tif 000004
【図４】
0005730604.tif 000005
【図５】
0005730604.tif 000006
【図６】
0005730604.tif 000007
【図７】
0005730604.tif 000008
【図８】
0005730604.tif 000009
【図９】
0005730604.tif 000010
【図１０】
0005730604.tif 000011